(57)【要約】
【課題】　場外の投票券売り場を、自宅や小規模店舗等の少スペースの場所にでも簡易に設置できる場外投票システムを提供するものである。
【解決手段】　場外投票システム１００に、映像情報とオッズ情報と競技情報と払戻し情報とを場外サーバ２に配信する本場サーバ１と、映像情報とオッズ情報と競技情報と払戻し情報とを中継し、かつ、会員情報を蓄積して送信された利用者情報と該会員情報とを照合するとともに、該会員情報を投票情報と払戻し情報に基づき変更する場外サーバ２と、映像情報とオッズ情報と競技情報と払戻し情報とが表示され、かつ入力された利用者情報と投票情報を場外サーバ２に送信する利用者端末３とを備える。
【選択図】　図２
0003099378.tif 000002
【実用新案登録請求の範囲】
【請求項１】
　ネットワークを介して競技の勝敗が投票される場外投票システムであって、
　本場サーバと、場外サーバと、利用者端末とを備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　会員情報と上記投票情報が対となって蓄積された会員情報蓄積手段と、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　上記利用者端末よりネットワークを介して送信された利用者情報と上記会員情報蓄積手段に蓄積された上記会員情報とを照合する会員照合手段と、
　上記利用者端末よりネットワークを介して送信された上記投票情報を上記会員情報蓄積手段に蓄積させるとともに、上記会員情報蓄積手段に蓄積された上記投票情報と上記払戻し情報に基づき、上記会員情報を変更する会員情報変更手段と、
　を備え、
　上記利用者端末は、
　上記場外サーバからネットワークを介して中継された上記映像情報と上記オッズ情報と上記競技情報と上記払戻し情報とが表示される表示手段と、
　上記利用者情報と上記投票情報が入力される入力手段と、
　上記入力手段により入力された上記利用者情報と上記投票情報をネットワークを介して上記場外サーバに送信する投票手段と、
　を備える、
　ことを特徴とする場外投票システム。
【請求項２】
　ネットワークを介して競技の勝敗が投票される場外投票システムであって、
　本場サーバと、場外サーバと、利用者端末を備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　を備え、
　上記利用者端末は、
　上記場外サーバからネットワークを介して中継された上記映像情報と上記オッズ情報と上記競技情報と上記払戻し情報とが表示される表示手段と、
　会員情報と上記投票情報が記憶されたカード状記憶媒体の読書きを行なう読書き手段と、
　上記投票情報が入力されるとともに、上記カード状記憶媒体に上記投票情報を記憶させる入力手段と、
　上記入力手段により入力された上記投票情報をネットワークを介して上記場外サーバに送信する投票手段と、
　上記場外サーバから中継された上記払戻し情報と上記カード状記憶媒体に記憶された上記投票情報に基づき、上記読書き手段に上記会員情報を変更させる端末側会員情報変更手段と、
　を備える、
　ことを特徴とする場外投票システム。
【請求項３】
　ネットワークを介して競技の勝敗が投票される場外投票システムであって、
　本場サーバと、場外サーバと、利用者端末とを備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　会員情報と上記投票情報が対となって蓄積された会員情報蓄積手段と、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　上記利用者端末よりネットワークを介して送信された利用者情報と上記会員情報蓄積手段に蓄積された上記会員情報とを照合する会員照合手段と、
　上記利用者端末よりネットワークを介して送信された上記投票情報を上記会員情報蓄積手段に蓄積させるとともに、上記会員情報蓄積手段に蓄積された上記投票情報と上記払戻し情報に基づき、上記会員情報を変更する会員情報変更手段と、
　を備え、
　上記利用者端末は、
　上記場外サーバからネットワークを介して中継された上記映像情報と上記オッズ情報と上記競技情報と上記払戻し情報とが表示される表示手段と、
　上記利用者情報と上記投票情報が入力される入力手段と、
　上記入力手段により入力された上記利用者情報と上記投票情報をネットワークを介して上記場外サーバに送信する投票手段と、
　を備え、
　上記場外サーバと上記利用者端末との間のネットワークは、無線回線である、
　ことを特徴とする場外投票システム。
【請求項４】
　ネットワークを介して競技の勝敗が投票される場外投票システムであって、
　本場サーバと、場外サーバと、利用者端末を備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　を備え、
　上記利用者端末は、
　上記場外サーバからネットワークを介して中継された上記映像情報と上記オッズ情報と上記競技情報と上記払戻し情報とが表示される表示手段と、
　会員情報と上記投票情報が記憶されたカード状記憶媒体の読書きを行なう読書き手段と、
　上記投票情報が入力されるとともに、上記カード状記憶媒体に上記投票情報を記憶させる入力手段と、
　上記入力手段により入力された上記投票情報をネットワークを介して上記場外サーバに送信する投票手段と、
　上記場外サーバから中継された上記払戻し情報と上記カード状記憶媒体に記憶された上記投票情報に基づき、上記読書き手段に上記会員情報を変更させる端末側会員情報変更手段と、
　を備え、
　上記場外サーバと上記利用者端末との間のネットワークは、無線回線である、
　ことを特徴とする場外投票システム。
【請求項５】
　ネットワークを介して競技の勝敗が投票される場外投票システムであって、
　本場サーバと、場外サーバと、利用者端末とを備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　会員情報と上記投票情報が対となって蓄積された会員情報蓄積手段と、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　上記利用者端末よりネットワークを介して送信された利用者情報と上記会員情報蓄積手段に蓄積された上記会員情報とを照合する会員照合手段と、
　上記利用者端末よりネットワークを介して送信された上記投票情報を上記会員情報蓄積手段に蓄積させるとともに、上記会員情報蓄積手段に蓄積された上記投票情報と上記払戻し情報に基づき、上記会員情報を変更する会員情報変更手段と、
　を備え、
　上記利用者端末は、
　上記場外サーバからネットワークを介して中継された上記映像情報と上記オッズ情報と上記競技情報と上記払戻し情報とが表示される表示手段と、
　上記利用者情報と上記投票情報が入力される入力手段と、
　上記入力手段により入力された上記利用者情報と上記投票情報をネットワークを介して上記場外サーバに送信する投票手段と、
　を備え、
　上記会員情報は、
　会員の口座残高と会員ＩＤと会員パスワードとを含み、
　上記利用者情報は、
　利用者ＩＤと利用者パスワードよりなる、
　ことを特徴とする場外投票システム。
【請求項６】
　ネットワークを介して競技の勝敗が投票される場外投票システムであって、
　本場サーバと、場外サーバと、利用者端末を備え、
　上記本場サーバは、
　映像情報とオッズ情報と競技情報と払戻し情報とをネットワークを介して配信する競技関連情報配信手段と、
　上記場外サーバからネットワークを介して送信される投票情報を集計して上記オッズ情報を加工するとともに、競技が確定した際に払戻し情報を加工するオッズ・払戻し加工手段と、
　を備え、
　上記場外サーバは、
　上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、
　を備え、
　上記利用者端末は、
　上記場外サーバからネットワークを介して中継された上記映像情報と上記オッズ情報と上記競技情報と上記払戻し情報とが表示される表示手段と、
　会員情報と上記投票情報が記憶されたカード状記憶媒体の読書きを行なう読書き手段と、
　上記投票情報が入力されるとともに、上記カード状記憶媒体に上記投票情報を記憶させる入力手段と、
　上記入力手段により入力された上記投票情報をネットワークを介して上記場外サーバに送信する投票手段と、
　上記場外サーバから中継された上記払戻し情報と上記カード状記憶媒体に記憶された上記投票情報に基づき、上記読書き手段に上記会員情報を変更させる端末側会員情報変更手段と、
　を備え、
　上記会員情報は、
　利用者の口座残高を含む、
　ことを特徴とする場外投票システム。
【考案の詳細な説明】
【技術分野】
【０００１】
　この発明は、競馬、競輪、オートレース、競艇等の投票を行なう場外投票システムに関し、特に場外の投票券売り場を、自宅や小規模店舗等の少スペースの場所にでも簡易に設置できる場外投票システムに関する。
【背景技術】
【０００２】
　従来、競馬、競輪、オートレース、競艇等の公営競技で勝敗を投票するには、競技が行なわれている本場や、最寄りの場外投票場へ足を運ぶしかなかった。利用者によっては、本場や場外投票場が非常に遠隔地にあり、足を運ぶ時間と費用がかかってしまう。
【０００３】
　場外投票場を遠隔地に増やすにしても用地買収や地域の同意が必要等の理由で非常に困難な状況である。
【考案の開示】
【考案が解決しようとする課題】
【０００４】
　このように、従来は、競馬、競輪、オートレース、競艇等の公営競技の投票を行なえる場所が遠く、また場外投票場の設置が困難であるという問題点がある。
【０００５】
　この発明は、上述の問題点に鑑みてなされたものであり、場外の投票券売り場を、自宅や小規模店舗等の少スペースの場所にでも簡易に設置できる場外投票システムを提供するものである。
【課題を解決するための手段】
【０００６】
　上記課題を解決するために、本発明は、ネットワークを介して競技の勝敗が投票される場外投票システムであって、本場サーバと、場外サーバと、利用者端末とを備え、上記本場サーバは、映像情報とオッズ情報と競技情報と払戻し情報とをネットワークを介して配信する競技関連情報配信手段と、上記場外サーバからネットワークを介して送信される投票情報を集計して上記オッズ情報を加工するとともに、競技が確定した際に払戻し情報を加工するオッズ・払戻し加工手段と、を備え、上記場外サーバは、会員情報と上記投票情報が対となって蓄積された会員情報蓄積手段と、上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、上記利用者端末よりネットワークを介して送信された利用者情報と上記会員情報蓄積手段に蓄積された上記会員情報とを照合する会員照合手段と、上記利用者端末よりネットワークを介して送信された上記投票情報を上記会員情報蓄積手段に蓄積させ、上記本場サーバにネットワークを介して送信するとともに、上記会員情報蓄積手段に蓄積された上記投票情報と上記払戻し情報に基づき、上記会員情報を変更する会員情報変更手段と、を備え、上記利用者端末は、上記場外サーバからネットワークを介して中継された上記映像情報と上記オッズ情報と上記競技情報と上記払戻し情報とが表示される表示手段と、上記利用者情報と上記投票情報が入力される入力手段と、上記入力手段により入力された上記利用者情報と上記投票情報をネットワークを介して上記場外サーバに送信する投票手段と、を備える、ことを特徴とする。
【０００７】
　ここで、本場サーバとは、競技場に設置されるサーバであり、この本場サーバに上述の各種情報が入力されて配信される。また、場外サーバとは、本場以外の他の地域に設置されるサーバであり、上述のように本場サーバから配信される各種情報の中継や利用者端末から送信される投票情報の本場サーバへの送信のほか、場外サーバと接続される利用者端末を利用する利用者の情報が蓄積されており利用者の利用可否を照合している。また、利用者端末とは、利用者が本場サーバから配信される各種情報を入手し、投票を行なう端末である。
【０００８】
　映像情報には、競技中の映像のほか、競技中の音声や、実況中継も含まれる。
【０００９】
　競技情報としては、競技の開催日時、競技が行われる本場名、競技名、競技の出場者、競技結果、当会売り締切り時刻、当会締切り結果が含まれる。
【００１０】
　本願発明でいうネットワークには、専用回線やインターネットも含まれる。
【００１１】
　この構成により、自宅や小規模店舗等の少スペースの場所においても現場感覚で競技の投票や払戻しができ、利便性に優れるとともに、場外投票場を簡易に設置することができる。
【００１２】
　また、本願発明は、ネットワークを介して競技の勝敗が投票される場外投票システムであって、本場サーバと、場外サーバと、利用者端末を備え、上記本場サーバは、映像情報とオッズ情報と競技情報と払戻し情報とをネットワークを介して配信する競技関連情報配信手段と、上記場外サーバからネットワークを介して送信される投票情報を集計して上記オッズ情報を加工するとともに、競技が確定した際に払戻し情報を加工するオッズ・払戻し加工手段と、を備え、上記場外サーバは、上記本場サーバからネットワークを介して配信された上記映像情報と上記オッズ情報と上記競技情報と上記払戻し情報とを上記利用者端末にネットワークを介して中継するとともに、上記利用者端末よりネットワークを介して送信された上記投票情報を上記本場サーバに中継する競技関連情報中継手段と、を備え、上記利用者端末は、上記場外サーバからネットワークを介して中継された上記映像情報と上記オッズ情報と上記競技情報と上記払戻し情報とが表示される表示手段と、会員情報と上記投票情報が記憶されたカード状記憶媒体の読書きを行なう読書き手段と、上記投票情報が入力されるとともに、上記カード状記憶媒体に上記投票情報を記憶させる入力手段と、上記入力手段により入力された上記投票情報をネットワークを介して上記場外サーバに送信する投票手段と、上記場外サーバから中継された上記払戻し情報と上記カード状記憶媒体に記憶された上記投票情報に基づき、上記読書き手段に上記会員情報を変更させる端末側会員情報変更手段と、を備える、ことを特徴とする。
【００１３】
　この構成は、場外サーバにより蓄積されていた会員情報を利用者が使用するカード状記憶媒体に記憶させ、このカード状記憶媒体を使用して利用者端末で競技の投票が完結できるようにしたものである。
【００１４】
　ここで、カード状記憶媒体とは、ＩＣカードや磁気カードが含まれる。
【００１５】
　この構成により、ネットワークにおいて会員の認証を行なう必要がなくなるから、ネットワークで送受信される情報を少なくして回線混雑を回避できるとともに、利用者がシステムを使用するために会員登録する必要がなくなり、利便性に優れる。
【００１６】
　また、上述の構成において、場外サーバと利用者端末との間のネットワークを無線回線にしてもよい。
【００１７】
　この構成により、利用者端末の設置位置を自由にレイアウトできるから、自宅や小規模店舗でも設置が容易になる。
【００１８】
　また、上述の構成において、会員情報は、会員の口座残高、またはこれに加えて会員ＩＤと会員パスワードとを含み、利用者情報は、利用者ＩＤと利用者パスワードよりなるようにしてもよい。この場合、上述の構成において、場外サーバに備える会員照合手段は、蓄積された会員情報の会員ＩＤと会員パスワードを、送信された利用者情報の利用者ＩＤと利用者パスワードをそれぞれ照合することができる。また、この場合、会員情報変更手段と端末側会員情報変更手段は、払戻し情報と投票情報に基づき、会員の口座残高を増減させることができる。
【考案の効果】
【００１９】
　以上説明した通り、本発明にかかる場外投票システムは、映像情報とオッズ情報と競技情報と払戻し情報とを場外サーバに配信する本場サーバと、映像情報とオッズ情報と競技情報と払戻し情報とを中継し、かつ、会員情報を蓄積して送信された利用者情報と該会員情報とを照合するとともに、該会員情報を投票情報と払戻し情報に基づき変更する場外サーバと、映像情報とオッズ情報と競技情報と払戻し情報とが表示され、かつ入力された利用者情報と投票情報を場外サーバに送信する利用者端末とを備えたから、自宅や小規模店舗等の少スペースの場所においても現場感覚で競技の投票や払戻しができ、利便性に優れるとともに、場外投票場を簡易に設置することができる。
【００２０】
　また、本発明にかかる場外投票システムは、場外サーバに備えていた会員情報を利用者が使用するカード状記憶媒体に記憶させ、利用者端末にカード状記憶媒体の読書きを行う読書き手段と、カード状記憶媒体に投票情報を記憶させる入力手段と、カード状記憶媒体の会員情報を変更させる端末側会員情報変更手段とを備えたから、このカード状記憶媒体を使用して利用者端末で競技の投票が完結でき、ネットワークにおいて会員の認証を行なう必要がなくなるから、ネットワークで送受信される情報を少なくして回線混雑を回避できるとともに、利用者がシステムを使用するために会員登録する必要がなくなり、利便性に優れる。
【００２１】
　また、本発明にかかる場外投票システムは、上述の構成に加えて、場外サーバと利用者端末との間のネットワークを無線回線にしたから、利用者端末の設置位置を自由にレイアウトでき、自宅や小規模店舗でも設置が容易になる。
【考案を実施するための最良の形態】
【００２２】
　以下、本願発明にかかる場外投票システムの好適な実施の形態について、図１乃至図３に基づき詳細に説明する。
【００２３】
　図１は本願発明にかかる場外投票システムのネットワーク構成図であり、図２は本願発明にかかる場外投票システムの実施形態における動作説明図であり、図３は本願発明にかかる場外投票システムの他の実施形態における動作説明図である。
【実施例１】
【００２４】
　図１および図２に示す場外投票システム１００は、競技場となる各本場に設置される本場サーバ１と、各場外に設置される場外サーバ２と、自宅や小規模店舗に設置される利用者端末３とで構成される。この場外投票システム１００は、本場サーバ１と場外サーバ２と利用者端末３を専用回線またはインターネット等のネットワークにより接続している。利用者端末３は、ネットワークに接続された、後述する手段を実現させるソフトウェアがインストールされたコンピュータであってもよいし、後述する表示手段としてテレビを使用することもできる。
【００２５】
　本場サーバ１は、各本場における競技関連情報を配信する競技情報関連情報配信手段１ａを備え、映像情報とオッズ情報と競技情報と払戻し情報といった各競技場における競技関連情報を配信する。
【００２６】
　ここで、映像情報は、各競技場に複数台設置されたカメラにより撮影された競技中の映像や、競技中の音声、さらには、競技に基づき実況される実況中継が多重化されたものである。競技情報は、競技が行われる本場名、競技の開催日時、競技の出場者、競技結果、当会売り締切り時刻、当会締切り結果、競技の進行スケジュールである。払戻し情報は、順位が確定した競技名と投票方式毎の確定順位と投票方式毎の配当金からなる。オッズ情報は、競技のオッズとして加工されたものである。
【００２７】
　また、本場サーバ１は、競技のオッズと確定した競技の払い戻しを加工するオッズ・払戻し加工手段１ｂを備え、各場外サーバ２より中継されてくる投票情報を集計し、オッズ情報を加工し、競技が確定した際には払戻し情報として加工する。
【００２８】
　本場サーバ１は、上述のように構成され、オッズ・払戻し加工手段１ｂで投票情報を集計してオッズ情報を加工し、このオッズ情報を含めた、各競技場における競技関連情報を競技関連情報配信手段１ａに配信させるサーバとして動作する。
【００２９】
　場外サーバ２は、本場サーバ１より配信された競技関連情報を利用者端末３に中継し、かつ利用者端末３から送信された投票情報を本場サーバ１に中継する競技関連情報中継手段２ａを備え、本場サーバ１と利用者端末３から送信される情報を中継するサーバとなる。
【００３０】
　また、場外サーバ２は、会員情報蓄積手段２ｃと払戻金集計手段２ｅと会員情報変更手段２ｂと会員情報照合手段２ｄを備えており、会員情報を管理・変更するサーバとなる。
【００３１】
　会員情報蓄積手段２ｃは、場外投票システム１００を利用する会員の会員情報と投票情報が対になって蓄積されており、会員情報変更手段２ｂや会員情報照合手段２ｄによりアクセスされる。さらに、払戻金集計手段２ｅは、場外投票システム１００で全会員に支払われた払戻金額の合算を記憶している。
【００３２】
　ここで、会員情報には、会員ＩＤ、会員パスワード、会員の口座残高が含まれる。また、投票情報は、利用者端末３から送信される競技の投票の内容であり、会員が購入した競技名と投票方式と予想順位と購入金額からなる。
【００３３】
　会員情報変更手段２ｂは、利用者端末３から送信される投票情報に基づき、会員情報を変更させるとともに、投票情報を蓄積させる。具体的には、投票情報に含まれる購入金額と会員情報に含まれる口座残高を比較して購入可否を判断し、購入可能な場合には、購入金額に相当する金額を口座残高からロックするか減じたうえで、投票情報を会員情報と対にして蓄積させる。また、本場サーバ１より配信された払戻し情報と、会員情報蓄積手段２ｃが蓄積している投票情報に基づき、会員情報蓄積手段２ｃに蓄積されている会員情報を変更する。具体的には、会員が購入した投票を投票情報と払戻し情報に基づき予想が的中したか否かを判断し、払戻し情報に含まれる配当金と投票情報に含まれる購入金額より損益金を計算し、会員情報に含まれる会員の口座を増減させる。このとき、予想が的中している場合には、配当金と購入金額に基づく払戻金額を払戻金集計手段２ｅに合算しておく。
【００３４】
　会員情報照合手段２ｄは、場外投票システム１００を利用するために利用者端末３から送信される利用者情報と会員情報蓄積手段２ｃに蓄積されている会員情報とを照合し、適合した場合に、利用者端末３を利用している利用者を会員として認識し、以後の投票を許可する。ここで、利用者情報は、利用者が利用者端末に入力した利用者ＩＤと利用者パスワードからなり、会員情報の会員ＩＤ、会員パスワードと照合される。
【００３５】
　場外サーバ２は、上述のように構成され、本場サーバ１と利用者端末３より配信される競技関連情報や投票情報を競技関連情報中継手段２ａにより中継し、また、会員情報照合手段２ｄで利用者が会員であるか否かを会員情報が蓄積された会員情報蓄積手段２ｃから判断し、会員であることが確認されると、投票を受け付け、会員情報変更手段２ｂにより会員情報蓄積手段２ｃに蓄積された会員情報を変更するサーバとして動作する。
【００３６】
　利用者端末３は、場外サーバ２にから中継された競技関連情報を表示させる表示手段３ａを備え、利用者に競技の情報を提供する。また、利用者端末３は、利用者情報と投票情報を入力する入力手段３ｃと、入力手段３ｃにより入力された利用者情報と投票情報を場外サーバ２に送信する投票手段３ｂを備え、利用者が場外投票システム１００を使用する際に、使用許可を求める利用者情報や、実際の投票の内容である投票情報を入力し場外サーバ２に送信する。
【００３７】
　利用者端末３は、上述のように構成され、場外投票システム１００を使用して競技の投票を行う利用者に使用され、場外サーバ２により中継された競技関連情報が表示され、実際の投票行動を行う端末となる。
【００３８】
　上述のような本場サーバ１と場外サーバ２と利用者端末３で構成される場外投票システム１００の動作を、図２に基づき詳細に説明する。図２は、本願発明にかかる場外投票システムの実施形態における動作説明図である。
【００３９】
　まず、本願発明の場外投票システム１００が利用者に競技関連情報を提供する動作を説明する。競技が行われる本場に設置されている本場サーバ１には、競技に応じて、競技中の映像情報と競技情報とオッズ情報と確定した払戻し情報が適宜入力される。この映像情報や競技情報やオッズ情報や払戻し情報といった競技関連情報は、本場サーバ１の競技関連情報配信手段１ａから場外サーバ２に配信される。競技関連情報が配信された場外サーバ２では、競技関連情報中継手段２ａにより、利用者端末３に中継される。利用者端末３では、競技関連情報を受け取り、表示手段３ａにより、これら競技関連情報が表示される。場外投票システム１００は、上述の動作をリアルタイムに繰り返すことにより、利用者に競技関連情報を提供している。
【００４０】
　次に、本願発明の場外投票システム１００を使用する利用許可の動作について説明する。ここで、利用者は、場外投票システム１００の会員になっており、場外サーバ２の会員情報蓄積手段２ｃにより会員情報として、会員ＩＤ、会員パスワード、会員の口座残高が蓄積されているものとする。まず、投票を行なおうとする利用者により、入力手段３ｃに利用者の利用者情報が入力される。入力された利用者情報は、利用者ＩＤと利用者パスワードからなり、この利用者情報が投票手段３ｂにより場外サーバ２へ送信される。場外サーバ２に利用者情報が送信されると、場外サーバ２では、会員情報照合手段２ｄにより、送信されてきた利用者情報と、会員情報蓄積手段２ｃに蓄積されている会員情報とが照合される。利用者ＩＤと会員ＩＤ、利用者パスワードと会員パスワードがそれぞれ適合すると、会員情報照合手段２ｄは、場外サーバ２および利用者端末３に利用許可を発行し、利用許可の発行により利用者は、会員であることが確認され、以後実際に投票を行うことができる。
【００４１】
　次に、本願発明の場外投票システム１００により実際に投票が行われる動作を説明する。場外投票システム１００の利用が許可されると、利用者は、会員として認識され、投票が可能となる。入力手段３ｃに利用者が予想した競技名と投票方式と予想順位と購入金額からなる投票情報が入力されると、この投票情報は、投票手段３ｂにより場外サーバ２へ送信される。投票情報が送信された場外サーバ２では、会員情報変更手段２ｂにより、送信されてきた投票情報に含まれる購入金額が会員情報蓄積手段２ｃに蓄積されている会員情報に含まれる口座残高を超えていないかどうかを判断され、超えていないと判断されると、送信された投票情報が会員情報蓄積手段２ｃに蓄積される。このとき、蓄積された投票情報は、会員として認識された利用者の会員情報と対になって蓄積され、また会員情報に含まれる口座残高から購入金額に相当する金額を減じるかロックし、以後競技確定まで使用不可にする。一方、投票情報は、競技関連情報中継手段２ａにより、本場サーバ１に中継される。場外サーバ２から送信された投票情報は、本場サーバ１のオッズ・払戻し加工手段により集計され、競技のオッズ情報として加工され、オッズ情報に反映され、以後上述した競技関連情報を提供する動作により配信される。上述の動作により、投票は完了する。
【００４２】
　次に、本願発明の場外投票システム１００が競技結果に基づき会員に払戻金を払い戻す動作を説明する。前述したように、本場サーバ１は、順位が確定した競技の払戻し情報をオッズ・払戻し加工手段１ｂで加工し場外サーバ２に配信している。場外サーバ２では、払戻し情報が配信されると、競技関連情報中継手段２ａにより、利用者端末３に中継させるが、さらに、場外サーバ２では、会員情報変更手段２ｂが会員情報蓄積手段２ｃに蓄積されている投票情報を払戻し情報に基づき検索する。払戻し情報と同競技に関する投票情報が存在すると、その投票情報の投票内容が的中しているか否かを払戻し情報より判断する。すなわち、会員情報変更手段２ｂは、投票情報に含まれる予想順位が払戻し情報に含まれる確定順位に適合しているか否かを判断する。投票内容が的中している場合、会員情報変更手段２ｂは、投票内容が的中した投票情報に含まれる購入金額と払戻し情報に含まれる配当金から払戻金額を計算し、その投票情報と対になって蓄積されている会員情報に含まれる口座残高に計算した配当金額を加え、会員情報を変更する。同時に、投票内容が的中している場合には、払戻金額を場外サーバ２の払戻金集計手段２ｅに合算しておく。すなわち、払戻集計手段には、全会員に支払った払戻金額の合計が記憶されることになる。上述の動作により会員に払戻金を払い戻す動作は完了する。
【００４３】
　場外投票システム１００では、上述の動作をネットワークを介して繰り返すことにより、利用者端末３を利用する会員に対して投票サービスを提供している。
【００４４】
　したがって、本実施形態における場外投票システム１００は、映像情報とオッズ情報と競技情報と払戻し情報とを場外サーバ２に配信する本場サーバ１と、映像情報とオッズ情報と競技情報と払戻し情報とを中継し、かつ、会員情報を蓄積して送信された利用者情報と該会員情報とを照合するとともに、該会員情報を投票情報と払戻し情報に基づき変更する場外サーバ２と、映像情報とオッズ情報と競技情報と払戻し情報とが表示され、かつ入力された利用者情報と投票情報を場外サーバ２に送信する利用者端末３とを備えたから、自宅や小規模店舗等の少スペースの場所においても利用者端末３を設置するのみで現場感覚で競技の投票や払戻しができ、利便性に優れるとともに、場外投票場を簡易に設置することができる。
【００４５】
　尚、本実施形態において場外サーバ２と利用者端末３との間は、無線回線を介して接続することができる。この場合、小規模店舗等の少スペースに場外サーバ２と利用者端末３の両方を設置したときのケーブルの取り回しが不要になり自由にレイアウトができ、設置がさらに容易になる。
【実施例２】
【００４６】
　次いで、場外投票システムの他の実施形態について図１および図３に基づき詳細に説明する。尚、本実施形態において上述の実施例１と同一構成を有する構成については、同一符号を付して、その詳細な説明を省略する。
【００４７】
　図３は、本願発明にかかる場外投票システム１００の他の実施形態における動作説明図である。本実施形態における場外投票システム１００は、場外サーバ２に会員情報と投票情報を蓄積するのではなく、利用者が携帯するカード状記憶媒体に記憶させるものである。カード状記憶媒体とは、磁気記憶式であってもＩＣを埋設したカードであってもよい。
【００４８】
　本実施形態における場外投票システム１００は、小規模店舗等の少スペースに場外サーバ２と複数の利用者端末３が設置されるものであり、小規模店舗でカード状記憶媒体を購入し、カード状記憶媒体に口座残高を記憶させ、最終的には、会員情報に含まれる口座残高に基づき、その場で実際に決済されるものである。よって、本実施形態においてカード状記憶媒体を携帯している利用者は、会員であると見なすことができるから、本実施形態においては、実施例１の場外サーバ２に備える会員情報照合手段２ｄに相当する会員であることを確認する手段を省略することができる。
【００４９】
　したがって、本場サーバ１は、上述の実施例１と同一構成であり、場外サーバ２は、本場サーバ１と利用者端末３より配信される競技関連情報や投票情報を競技関連情報中継手段２ａを備えており、本場サーバ１と利用者端末３より配信される競技関連情報や投票情報を中継するサーバとして動作する。利用者端末３は、場外サーバ２にから中継された競技関連情報を表示させる表示手段３ａを備え、利用者に競技の情報を提供する。また、利用者が携帯するカード状記憶媒体の読書きを行なう読書き手段３ｆと、この読書き手段３ｆに、カード状記憶媒体に記憶されている会員情報と投票情報を変更させる入力手段３ｅおよび端末側会員情報変更手段３ｆを備え、さらに場外サーバ２に投票情報を送信する投票手段３ｄを備える。
【００５０】
　入力手段３ｅは、投票情報が入力され、読書き手段３ｆにカード状記憶媒体に記憶されている投票情報を入力された投票情報に変更させる。
【００５１】
　端末側会員情報変更手段３ｇは、投票情報に基づき、会員情報を変更させるとともに、投票情報を蓄積させる。具体的には、投票情報に含まれる購入金額と会員情報に含まれる口座残高を比較して購入可否を判断し、購入可能な場合には、購入金額に相当する金額を口座残高からロックするか減じたうえで、投票情報を蓄積させる。また、場外サーバ２から中継された払戻し情報とカード状記憶媒体に記憶されている投票情報に基づき、カード状記憶媒体に記憶されている会員情報を変更する。具体的には、会員が購入した投票を投票情報と払戻し情報に基づき予想が的中したか否かを判断し、払戻し情報に含まれる配当金と投票情報に含まれる購入金額より損益金を計算し、会員情報に含まれる会員の口座を増減させる。
【００５２】
　ここで、本実施形態における会員情報は、口座残高が含まれていればよい。また、カード状記憶媒体の記憶容量によっては、投票情報を変更せずに、入力された投票情報を書き加えてもよい。
【００５３】
　上述のような本場サーバ１と場外サーバ２と利用者端末３で構成される場外投票システム１００の動作を、図３に基づき詳細に説明する。尚、本願発明の場外投票システム１００が利用者に競技関連情報を提供する構成と、投票情報を利用者端末３から場外サーバ２を中継して本場サーバ１に送信して、オッズを加工する構成については、実施例１と同一構成につき、その動作説明は省略し、また、場外投票システム１００を使用する利用許可の構成を省いた形態として説明する。
【００５４】
　本願発明の場外投票システム１００が実際に投票が行われる動作を説明する。利用者により利用者端末３の読書き手段３ｆにカード状記憶媒体を挿入されると、利用者は、会員として認識され、投票が可能となる。入力手段３ｃに利用者が予想した競技名と投票方式と予想順位と購入金額からなる投票情報が入力されると、端末側会員情報変更手段３ｇにより、入力された投票情報に含まれる購入金額がカード状記憶媒体に記憶されている会員情報に含まれている口座残高を超えていないかどうかを判断され、超えていないと判断されると、投票情報がカード状記憶媒体に記憶され、また会員情報に含まれる口座残高から購入金額に相当する金額を減じるかロックし、以後競技確定まで使用不可にする。上述の動作により、投票は完了する。
【００５５】
　次に、本願発明の場外投票システム１００が競技結果に基づき会員に払戻金を払い戻す動作を説明する。本場サーバ１は、順位が確定した競技の払戻し情報を場外サーバ２により中継されて利用者端末３に配信している。利用者端末３では、カード状記憶媒体が読書き手段３ｆに挿入されていると、端末側会員情報変更手段３ｇがカード状記憶媒体に記憶されている投票情報を払戻し情報に基づき検索する。払戻し情報と同競技に関する投票情報が存在すると、その投票情報の投票内容が的中しているか否かを払戻し情報より判断する。すなわち、端末会員情報変更手段３ｇは、投票情報に含まれる予想順位が払戻し情報に含まれる確定順位に適合しているか否かを判断する。投票内容が的中している場合、端末側会員情報変更手段３ｇは、投票内容が的中した投票情報に含まれる購入金額と払戻し情報に含まれる配当金から払戻金額を計算し、会員情報に含まれる口座残高に計算した払戻し金額を加え、会員情報を変更する。同時に、投票内容が的中している場合には、払戻金額を場外サーバ２の払戻金集計手段２ｅに合算しておく。すなわち、払戻集計手段には、全会員に支払った払戻金額の合計が記憶されることになる。上述の動作により会員に払戻金を払い戻す動作は完了する。
【００５６】
　場外投票システム１００では、上述の動作をネットワークを介して繰り返すことにより、利用者端末３を利用する会員に対して投票サービスを提供している。また、上述したように、利用者が実際に決済にする場合には、カード状記憶媒体を本システムが設置されている店舗等に提出することによって、カード状記憶媒体に記憶されている会員情報に含まれている口座残高に応じて実際に決済される。決済された金額は、本場サーバ１に送信され、払い戻しとして反映される。
【００５７】
　上述のように、本実施形態における場外投票システム１００は、利用者端末３にカード状記憶媒体を読書きさせる読書き手段３ｆと、カード状記憶媒体の会員情報を変更する端末側会員情報記憶手段３ｇと、カード状記憶媒体に投票情報を記憶させる入力手段３ｅを備えたから、ネットワークにおいて会員の認証を行なう必要がなくなるから、ネットワークで送受信される情報を少なくして回線混雑を回避できるとともに、利用者がシステムを使用するために会員登録する必要がなくなり、利便性に優れる。
【００５８】
　また、本実施形態においても場外サーバ２と利用者端末３との間のネットワークを無線回線にしてもよい。
【産業上の利用可能性】
【００５９】
　場外投票システム１００は、ネットワークを介して、競馬、競輪、オートレース、競艇等の投票を行なうシステムとして利用することができる。
【図面の簡単な説明】
【００６０】
【図１】本願発明にかかる場外投票システムのネットワーク構成図である。
【図２】本願発明にかかる場外投票システムの実施形態における動作説明図である。
【図３】本願発明にかかる場外投票システムの他の実施形態における動作説明図である。
【符号の説明】
【００６１】
　１　　本場サーバ
　１ａ　　競技関連情報配信手段
　１ｂ　　オッズ・払戻し加工手段
　２　　場外サーバ
　２ａ　　競技関連情報中継手段
　２ｂ　　会員情報変更手段
　２ｃ　　会員情報蓄積手段
　２ｄ　　会員情報照合手段
　２ｅ　　払戻金集計手段
　３　　利用者端末
　３ａ　　表示手段
　３ｂ，３ｄ　　投票手段
　３ｃ，３ｅ　　入力手段
　３ｆ　　読書き手段
　３ｇ　　端末側会員情報変更手段
　１００　　場外投票システム
【図１】
0003099378.tif 000003
【図２】
0003099378.tif 000004
【図３】
0003099378.tif 000005